(57)【特許請求の範囲】
【請求項１】
相互に平行な直線状あるいは平面状の干渉縞からなるホログラム原版の複製方法において、ホログラム感材フィルムをホログラム原版に接してホログラム原版の干渉縞の方向の沿って連続的に走行させながら、ホログラム原版に再生照明光を照射してホログラム原版を走行するホログラム感材フィルムに連続的に複製するホログラム複製方法であり、前記ホログラム原版を屈折率整合液で満たした液槽中に浸漬させて前記屈折率整合液を介して走行する前記ホログラム感材フィルムと接触させることを特徴とするホログラム複製方法。
。
【請求項２】
前記ホログラム原版が透過型ホログラムからなることを特徴とする請求項１記載のホログラム複製方法。
【請求項３】
前記ホログラム原版が反射型ホログラムからなることを特徴とする請求項１記載のホログラム複製方法。
【請求項４】
相互に平行な直線状あるいは平面状の干渉縞からなるホログラム原版の複製装置であって、ホログラム感材フィルムをホログラム原版に接してホログラム原版の干渉縞の方向の沿って連続的に走行させながら、ホログラム原版に再生照明光を照射してホログラム原版を走行するホログラム感材フィルムに連続的に複製するホログラム複製装置において、
屈折率整合液で満たした液槽と、前記液槽中にホログラム原版を浸漬させる浸漬保持手段と、前記ホログラム原版に接して前記ホログラム原版の干渉縞の方向の沿って連続的にホログラム感材フィルムを走行させる手段と、前記ホログラム原版に再生照明光を照射する光学系とを備えていることを特徴とするホログラム複製装置。
【請求項５】
前記液槽は、前記屈折率整合液を循環濾過する手段を備えていることを特徴とする請求項４記載のホログラム複製装置。
【請求項６】
前記液槽の下流側に、前記ホログラム感材フィルムに付着している前記屈折率整合液を除去する手段を備えていることを特徴とする請求項４又は５記載のホログラム複製装置。
【請求項７】
前記ホログラム原版が透過型ホログラムからなり、前記浸漬保持手段を通して前記再生照明光を照射するように構成したことを特徴とする請求項４から６の何れか１項記載のホログラム複製装置。
【請求項８】
前記ホログラム原版が反射型ホログラムからなり、前記液槽の壁を通して前記再生照明光を照射するように構成したことを特徴とする請求項４から６の何れか１項記載のホログラム複製装置。
【発明の詳細な説明】
【０００１】
【発明の属する技術分野】
本発明は、ホログラム複製方法及びホログラム複製装置に関し、特に、平行な干渉縞からなるホログラム原版から同様のホログラムを連続的に複製する方法と装置に関するものである。
【０００２】
【従来の技術】
従来、長尺ホログラム感材フィルム上にホログラム原版から多数のホログラムを複製法により作製することはよく知られている。その中、特開平７−１１４３３０号等のものは、ホログラム原版の上に長尺ホログラム感材フィルムを間欠的に送りながら貼り付け、間欠露光により順次同じホログラムを並列させながら複製して行くものである。
【０００３】
また、特開平２−２３５０８５号、特開平３−１４８６８７号、特開平４−１５３６８６号のものは、回転ドラムの表面にホログラム原版を貼り付けて、そのドラムに長尺ホログラム感材フィルムを巻き付けてドラムの周速と同じ速度で連続的に送りながら連続露光により順次同じホログラムを並列させながら複製して行くものである。
【０００４】
また、特開平３−２７１７８８号、特開平７−９８５６０号等のものは、ホログラム複製法ではないが、ガラスブロック先端に長尺ホログラム感材フィルムを接触させて連続的に送りながら、全反射を利用してホログラムミラー等を作製するものである。
【０００５】
ところで、ホログラムとしては、反射型、透過型何れにおいても、干渉縞が相互に平行な直線群あるいは平面（円筒面も含む）群からなるものがある。例えば、シリンドリカルミラーあるいはシリンドリカルレンズと同様に直線に集光するもの、回折格子、レンチキュラースクリーンと同様の作用を有するもの等である。
【０００６】
【発明が解決しようとする課題】
さて、上記の従来のホログラム複製法においては、何れも継ぎ目なしにホログラム原版と同様のホログラムを連続して複製することはできなかった。また、ホログラムミラー等を連続的に作製する方法においては、ホログラム原版の複製ではないので、作製されるホログラム製品が極めて限定されてしまう。
【０００７】
本発明は従来技術のこのような問題点に鑑みてなされたものであり、その目的は、干渉縞が相互に平行な直線群あるいは平面群からなるホログラム原版から同様のホログラムを継ぎ目なしに連続的に複製する方法と装置を提供することである。
【０００８】
【課題を解決するための手段】
上記目的を達成する本発明のホログラム複製方法は、相互に平行な直線状あるいは平面状の干渉縞からなるホログラム原版の複製方法において、ホログラム感材フィルムをホログラム原版に接してホログラム原版の干渉縞の方向の沿って連続的に走行させながら、ホログラム原版に再生照明光を照射してホログラム原版を走行するホログラム感材フィルムに連続的に複製することを特徴とする方法である。
【０００９】
この場合、ホログラム感材フィルムとホログラム原版を屈折率整合液を介して接触させることが望ましい。
【００１０】
その場合、ホログラム原版を屈折率整合液で満たした液槽中に浸漬させて走行するホログラム感材フィルムと接触させることが望ましい。
【００１１】
また、ホログラム原版は、透過型ホログラムでも反射型ホログラムであってもよい。
【００１２】
本発明のホログラム複製は、相互に平行な直線状あるいは平面状の干渉縞からなるホログラム原版の複製装置であって、ホログラム感材フィルムをホログラム原版に接してホログラム原版の干渉縞の方向の沿って連続的に走行させながら、ホログラム原版に再生照明光を照射してホログラム原版を走行するホログラム感材フィルムに連続的に複製するホログラム複製装置において、
屈折率整合液で満たした液槽と、前記液槽中にホログラム原版を浸漬させる浸漬保持手段と、前記ホログラム原版に接して前記ホログラム原版の干渉縞の方向の沿って連続的にホログラム感材フィルムを走行させる手段と、前記ホログラム原版に再生照明光を照射する光学系とを備えていることを特徴とするものである。
【００１３】
この場合、その液槽は、屈折率整合液を循環濾過する手段を備えていることが望ましい。
【００１４】
また、その液槽の下流側に、ホログラム感材フィルムに付着している屈折率整合液を除去する手段を備えていることが望ましい。
【００１５】
また、ホログラム原版が透過型ホログラムからなる場合に、浸漬保持手段を通して再生照明光を照射するように構成することが望ましい。
【００１６】
また、ホログラム原版が反射型ホログラムからなる場合に、液槽の壁を通して再生照明光を照射するように構成することが望ましい。
【００１７】
本発明においては、ホログラム感材フィルムをホログラム原版に接してホログラム原版の干渉縞の方向の沿って連続的に走行させながら、ホログラム原版に再生照明光を照射してホログラム原版を走行するホログラム感材フィルムに連続的に複製するので、相互に平行な直線状あるいは平面状の干渉縞からなるホログラムを継ぎ目なしに効率的に複製することができる。
【００１８】
【発明の実施の形態】
以下、本発明のホログラム複製方法及びホログラム複製装置を実施例に基づいて説明する。
【００１９】
図１は、干渉縞が紙面に平行な直線群あるいは平面群からなる透過型ホログラム原版１から、フォトポリマー等の長尺のホログラム感材フィルム２０上に継ぎ目なしに連続的に同様の透過型ホログラムを複製するための複製装置の実施例を示す図である。透過型ホログラム原版１は、下端面が平面あるいは湾曲面になっているガラスのような透明ブロック２の下端面に貼り付けられ、透明ブロック２のホログラム原版１が屈折率整合液（例えば、カーギルオイル）２１で満たされた液槽３中に浸され、透明ブロック２上端面が屈折率整合液２１の液面から上に出るように、透明ブロック２が取り付けられる。
【００２０】
その液槽３中の透明ブロック２のホログラム原版１の上流側（干渉縞の直線あるいは平面を伸ばした一方の方向側）にガイドローラ６を、下流側（干渉縞の直線あるいは平面を伸ばした他方の方向側）にガイドローラ７を配置する。そして、そのガイドローラ６からホログラム原版１の下面に接してガイドローラ７へホログラム感材フィルム２０が搬送できるように、ホログラム感材フィルム２０がセットされた巻き出しローラ４と巻き取りローラ１７が液槽３の両側に配置されており、巻き出しローラ４から連続的に一定速度で巻き出された感材フィルム２０は、ガイドローラ５を経て液槽３中のガイドローラ６に送られ、ホログラム原版１の下面に屈折率整合液２１を介して接し、ガイドローラ７を経て液槽３から出て、ガイドローラ８〜１６を順に経て巻き取りローラ１７で巻き取られるようになっている。この際、ホログラム原版１と感材フィルム２０の接触圧力がガイドローラ６と７の間の張力の反作用で所定の一定値になるように、透明ブロック２は上下方向位置が調整可能になっている。
【００２１】
一方、ホログラム複製のための照明光源としてレーザ光源３０が配置されており、そのレーザ光源３０から出たレーザ光３３は、ビーム拡大器３１、方向転換ミラー３２を介して透明ブロック２の上端面から透明ブロック２内に入り、透過型ホログラム原版１を上方から照明するようになっている。
【００２２】
液槽３中でホログラム複製されたホログラム感材フィルム２０に付着している屈折率整合液２１を除去するための溶媒（例えば、メチルエチルケトン）２６で満たされた屈折率整合液除去溶媒槽２５が、液槽３に隣接して下流側に配置されており、ガイドローラ１０、１１がその溶媒槽２５中に浸漬されている。
【００２３】
また、その屈折率整合液除去溶媒槽２５の下流には、乾燥部２７が配置され、そのさらに下流に複製されたホログラム感材フィルム２０を後処理して定着固定するための紫外線照射部２８が配置されている。
【００２４】
なお、液槽３中の屈折率整合液２１は、液槽３に供給配管２３と排出配管２４を介して連結され中に濾過用フィルターを備えた循環ポンプ２２により循環濾過されるようになっている。この屈折率整合液２１は、ホログラム原版１とホログラム感材フィルム２０の屈折率に略一致する屈折率を有するものであって、ある程度粘性があって走行するホログラム感材フィルム２０が透明ブロック２の角部２９やホログラム原版１と接触することにより擦り傷が生じることを防止するような特性のものが選択される。なお、透明ブロック２の下端面の角部２９はこのような擦り傷が生じ難いように角を取り円筒状になるように加工されている。さらに、液槽３の内面は不要な散乱光を防止するために無反処理がされている。
【００２５】
このような配置のホログラム複製装置において、巻き出しローラ４からは連続的に一定速度で感材フィルム２０が巻き出され、その感材フィルム２０はガイドローラ５を経て液槽３中のガイドローラ６に送られ、透明ブロック２の下端のホログラム原版１に屈折率整合液２１を介して一定圧の一定状態で接している。その感材フィルム２０の連続的な一定速度の走行状態において、レーザ光源３０からビーム拡大器３１、方向転換ミラー３２を介して透明ブロック２に照射されたレーザ光３３は、透過型ホログラム原版１を上方から照明し、透過方向に０次透過光３４と回折光３５が出る。透過型ホログラム原版１は、干渉縞が紙面に平行であって感材フィルム２０の走行方向に平行な直線状あるいは平面状の干渉縞からなるものであるので、回折光３５は紙面に垂直な方向に回折され、その回折光３５と０次透過光３４が感材フィルム２０中で干渉することにより、ホログラム原版１と同様に、紙面に平行であって感材フィルム２０の走行方向に平行な干渉縞を持つ透過型ホログラムが、その干渉縞を連続させて連続的に感材フィルム２０の長手方向に複製される。この際、ホログラム原版１及び透明ブロック２と感材フィルム２０の間には、液槽３中の屈折率整合液２１が介在するので、不要な界面反射が発生せず、効率良くかつ不要干渉縞がなくホログラム複製が行われる。また、その屈折率整合液２１が潤滑液として作用することにより、走行する感材フィルム２０に擦り傷が生じるのを防いでいる。
【００２６】
ホログラム原版１に走行しながら接触して連続的にホログラム原版１の干渉縞が複製された感材フィルム２０は、ガイドローラ７を経て液槽３から出て、ガイドローラ８、９を経て屈折率整合液除去溶媒槽２５に入り、その中のガイドローラ１０、１１を経る間にその中の溶媒２６で感材フィルム２０に付着している屈折率整合液２１が除去される。感材フィルム２０に付着している溶媒２６は、屈折率整合液除去溶媒槽２５の下流の乾燥部２７で乾燥除去され、その後、紫外線照射部２８で後処理としてホログラム露光後の感材フィルム２０に紫外線が照射され定着固定される。その後、連続的に複製を終えた感材フィルム２０が巻き取りローラ１７で連続的に巻き取られる。
【００２７】
以上のように、本発明のホログラム複製方法と装置においては、ホログラム感材フィルム２０をホログラム原版１に接してホログラム原版１の干渉縞の方向の沿って連続的に走行させながら、ホログラム原版１に再生照明光３３を照射してホログラム原版１を走行するホログラム感材フィルム２０に連続的に複製するので、従来の間欠露光を行う複製方法や、回転ドラムにホログラム原版を貼り付けて連続的に露光する複製方法では困難であった継ぎ目なしのホログラムを効率的に複製することができる。
【００２８】
なお、図１の配置において、屈折率整合液除去溶媒槽２５は２段以上の複数段設けるようにしてもよい。また、液槽３に付属させた循環ポンプ２２は省いてもよい。
【００２９】
ところで、図１の配置は、透過型ホログラム原版１から同じ透過型ホログラムを連続的に複製するものであったが、これを反射型ホログラム原版１’から同じ反射型ホログラムを連続的に複製するための配置に変更することができる。その実施例を図２に示す。
【００３０】
図２の装置の図１の装置に対する変更点のみを説明すると、屈折率整合液２１を満たす液槽３’は、この例では、透明な容器からなる。そして、反射型ホログラム原版１’を貼り付けるブロック２’は必ずしも透明である必要はない。そして、ホログラム複製のための再生照明光３３は、この例の場合は、ブロック２’を通してでなく、透明な液槽３’と反射型ホログラム原版１’に屈折率整合液２１を介して走行しながら接触しているホログラム感材フィルム２０とを通してブロック２’の下側（あるいは、側面）から照明する。その他は、図１の場合と同様である。
【００３１】
このホログラム複製装置においては、巻き出しローラ４からは連続的に一定速度で感材フィルム２０が巻き出され、その感材フィルム２０はガイドローラ５を経て液槽３’中のガイドローラ６に送られ、ブロック２’の下端の反射型ホログラム原版１’に屈折率整合液２１を介して一定圧の一定状態で接している。その感材フィルム２０の連続的な一定速度の走行状態において、レーザ光源３０からビーム拡大器３１、方向転換ミラー３２を介して透明な液槽３’の下面に照射されたレーザ光３３は、液槽３’の透明底壁と屈折率整合液２１を介して、走行しているホログラム感材フィルム２０を通して反射型ホログラム原版１’を下方から照明し、反射側に回折光３６が出る。この反射型ホログラム原版１’も、干渉縞が紙面に平行であって感材フィルム２０の走行方向に平行な直線状あるいは平面状の干渉縞からなるものであるので、回折光３６は紙面に垂直な方向に回折され、その回折光３６と入射照明光３３が感材フィルム２０中で干渉することにより、ホログラム原版１’と同様に、紙面に平行であって感材フィルム２０の走行方向に平行な干渉縞を持つ反射型ホログラムが、その干渉縞を連続させて連続的に感材フィルム２０の長手方向に複製される。この際、ホログラム原版１’及びブロック２’と感材フィルム２０の間には、液槽３’中の屈折率整合液２１が介在するので、不要な界面反射が発生せず、効率良くかつ不要干渉縞がなくホログラム複製が行われる。また、その屈折率整合液２１が潤滑液として作用することにより、走行する感材フィルム２０に擦り傷が生じるのを防いでいる。
【００３２】
ホログラム原版１’に走行しながら接触して連続的にホログラム原版１’の干渉縞が複製された感材フィルム２０は、ガイドローラ７を経て液槽３’から出て、ガイドローラ８、９を経て屈折率整合液除去溶媒槽２５に入り、その中のガイドローラ１０、１１を経る間にその中の溶媒２６で感材フィルム２０に付着している屈折率整合液２１が除去される。感材フィルム２０に付着している溶媒２６は、屈折率整合液除去溶媒槽２５の下流の乾燥部２７で乾燥除去され、その後、紫外線照射部２８で後処理としてホログラム露光後の感材フィルム２０に紫外線が照射され定着固定される。その後、連続的に複製を終えた感材フィルム２０が巻き取りローラ１７で連続的に巻き取られる。
【００３３】
この実施例の場合も、屈折率整合液除去溶媒槽２５は２段以上の複数段設けるようにしてもよい。また、液槽３’に付属させた循環ポンプ２２は省いてもよい。そして、この場合も、ホログラム感材フィルム２０をホログラム原版１’に接してホログラム原版１’の干渉縞の方向の沿って連続的に走行させながら、ホログラム原版１’に再生照明光３３を照射してホログラム原版１’を走行するホログラム感材フィルム２０に連続的に複製するので、従来の間欠露光を行う複製方法や、回転ドラムにホログラム原版を貼り付けて連続的に露光する複製方法では困難であった継ぎ目なしのホログラムを効率的に複製することができる。
【００３４】
以上、本発明のホログラム複製方法及びホログラム複製装置を実施例に基づいて説明してきたが、本発明はこれら実施例に限定されず種々の変形が可能である。例えば、図２の配置において、感材フィルム２０をホログラム原版１’と液槽３’の透明底壁と間に挟んだ状態で走行させるようにしてもよい。
【００３５】
【発明の効果】
以上の説明から明らかなように、本発明のホログラム複製方法及びホログラム複製装置によると、ホログラム感材フィルムをホログラム原版に接してホログラム原版の干渉縞の方向の沿って連続的に走行させながら、ホログラム原版に再生照明光を照射してホログラム原版を走行するホログラム感材フィルムに連続的に複製するので、相互に平行な直線状あるいは平面状の干渉縞からなるホログラムを継ぎ目なしに効率的に複製することができる。
【図面の簡単な説明】
【図１】本発明の１実施例の透過型ホログラムを複製するための複製装置の構成を示す図である。
【図２】本発明の別の実施例の反射型ホログラムを複製するための複製装置の構成を示す図である。
【符号の説明】
１…透過型ホログラム原版
１’…反射型ホログラム原版
２…透明ブロック
２’…ブロック
３…液槽
３’…透明液槽
４…巻き出しローラ
５、６、７、８、９、１０、１１、１２、１３、１４、１５、１６…ガイドローラ
１７…巻き取りローラ
２０…ホログラム感材フィルム
２１…屈折率整合液
２２…循環ポンプ
２３…供給配管
２４…排出配管
２５…屈折率整合液除去溶媒槽
２６…溶媒
２７…乾燥部
２８…紫外線照射部
２９…角部
３０…レーザ光源
３１…ビーム拡大器
３２…方向転換ミラー
３３…レーザ光（再生照明光）
３４…０次透過光
３５…回折光
３６…回折光
【図１】
0004510224.tif 000002
【図２】
0004510224.tif 000003